(57)【要約】【課題】燃焼排気が暖房する室内に吐出されることを確実に防止することができる暖房装置を提供する。【解決手段】バーナ５を収容した燃焼室６と、燃焼室６から燃焼排気通路７を介して燃焼排気を排出する燃焼排気排出手段１６と、暖房する室内２の空気が流通される空気通路１２と、燃焼排気通路７に流通される燃焼排気により空気通路１２に流通される空気を加熱する熱交換器１４と、熱交換器１４で加熱された空気を空気通路１２を介して温風として該室内２に吐出する温風吐出手段１８とを備える。熱交換器１４より上流側の空気通路１２に室内２の空気を吸い込んで空気通路１２に供給する給気手段１７を備える。熱交換器１４より下流側の燃焼排気通路７に燃焼室６から燃焼排気を吸引する吸引手段１５を備える。前記暖房する室は、浴室２である。【選択図】  図１
2006292228.tif 000002
【特許請求の範囲】
【請求項１】
バーナを収容した燃焼室と、該燃焼室から燃焼排気通路を介して燃焼排気を排出する燃焼排気排出手段と、暖房する室内の空気が流通される空気通路と、該燃焼排気通路に流通される燃焼排気により該空気通路に流通される空気を加熱する熱交換器と、該熱交換器で加熱された空気を該空気通路を介して温風として該室内に吐出する温風吐出手段とを備える暖房装置において、
該熱交換器より上流側の該空気通路に該室内の空気を吸い込んで該空気通路に供給する給気手段を備えると共に、該熱交換器より下流側の該燃焼排気通路に該燃焼室から燃焼排気を吸引する吸引手段を備えることを特徴とする暖房装置。
【請求項２】
前記暖房する室は、浴室であることを特徴とする請求項１記載の暖房装置。
【発明の詳細な説明】
【技術分野】
【０００１】
本発明は、浴室等の暖房を行う暖房装置に関するものである。
【背景技術】
【０００２】
従来、図２に示すように、バーナ５を収容した燃焼室６と、燃焼室６から燃焼排気通路７を介して燃焼排気を排出する燃焼排気排出手段１６と、浴室２内から吸い込んだ空気を流通させる空気通路１２とを備えると共に、空気通路１２を燃焼排気通路７の外側に配設して熱交換器１４とし、熱交換器１４で熱交換により加熱された空気を空気通路１２を介して温風として浴室２に吐出する温風吐出手段１８を備える浴室暖房装置２１が知られている（例えば特許文献１参照）。
【０００３】
前記浴室暖房装置２１では、燃焼室６の上流側の給気通路８に燃焼ファン１５が備えられており、燃焼ファン１５により燃焼用空気が供給される。前記燃焼用空気は、ガス供給管９から供給される燃料ガスと予め混合されて、バーナ５に供給される。また、熱交換器１４の上流側の空気通路１２に給気ファン１７が備えられており、給気ファン１７により吸引された浴室２の空気が空気通路１２に供給される。
【０００４】
しかしながら、前記浴室暖房装置２１では、燃焼室６の上流側に燃焼ファン１５が備えられているために、燃焼ファン１５の下流側にあたる燃焼排気通路７内の気圧が空気通路１２内の気圧よりも高くなることがあり、熱交換器１４内の燃焼排気通路７に亀裂、穿孔等があると該亀裂、穿孔等から空気通路１２に燃焼排気が侵入し、該燃焼排気を含む温風が浴室２に吐出されることになるという不都合がある。
【０００５】
熱交換器１４は、燃焼排気通路７を空気通路１２の外側に配設する構成とすることもできるが、このとき空気通路１２に亀裂、穿孔等があると該亀裂、穿孔等から空気通路１２に燃焼排気が侵入し、前記不都合と全く同一の不都合が生じる。
【特許文献１】特開２００２−３９５６３号公報
【発明の開示】
【発明が解決しようとする課題】
【０００６】
本発明は、かかる不都合を解消して、燃焼排気が暖房する室内に吐出されることを確実に防止することができる暖房装置を提供することを目的とする。
【課題を解決するための手段】
【０００７】
かかる目的を達成するために、本発明は、バーナを収容した燃焼室と、該燃焼室から燃焼排気通路を介して燃焼排気を排出する燃焼排気排出手段と、暖房する室内の空気が流通される空気通路と、該燃焼排気通路に流通される燃焼排気により該空気通路に流通される空気を加熱する熱交換器と、該熱交換器で加熱された空気を該空気通路を介して温風として該室内に吐出する温風吐出手段とを備える暖房装置において、該熱交換器より上流側の該空気通路に該室内の空気を吸い込んで該空気通路に供給する給気手段を備えると共に、該熱交換器より下流側の該燃焼排気通路に該燃焼室から燃焼排気を吸引する吸引手段を備えることを特徴とする。
【０００８】
本発明の暖房装置では、前記熱交換器より下流側の前記燃焼排気通路に前記吸引手段を備え、該吸引手段により前記燃焼室から燃焼排気を吸引することにより、該吸引手段の上流側では該燃焼排気通路内の気圧が負圧になる。このとき、前記空気通路には、前記熱交換器より上流側に、暖房する室内の空気を吸い込む給気手段が備えられているので、該給気手段の下流側では、該空気通路内の気圧が正圧になる。
【０００９】
本発明の暖房装置では、前記空気通路を前記燃焼排気通路の外側に配設することにより前記熱交換器としてもよく、該燃焼排気通路を該空気通路の外側に配設することにより前記熱交換器としてもよいが、いずれの場合においても、該空気通路内の気圧が、該燃焼排気通路内の気圧よりも高くなる。従って、前記空気通路が前記燃焼排気通路の外側に配設されている熱交換器で該燃焼排気通路に亀裂、穿孔等が発生した場合、あるいは該燃焼排気通路が該空気通路の外側に配設されている熱交換器で該空気通路に亀裂、穿孔等が発生した場合に、燃焼排気が該空気通路に侵入することがなく、燃焼排気が暖房する室内に吐出されることを確実に防止することができる。
【００１０】
本発明の暖房装置は、例えば浴室等に用いることができる。前記浴室は密封性が高く、燃焼排気を含む温風が吐出されると、入浴者が不快感を覚えることがある。従って、燃焼排気が吐出されることを確実に防止することにより、入浴者が不快感を覚えることがなくなり好ましい。
【発明を実施するための最良の形態】
【００１１】
次に、添付の図面を参照しながら本発明の実施の形態についてさらに詳しく説明する。図１は本実施形態の暖房装置の構成を示す説明的断面図である。
【００１２】
本実施形態の暖房装置は、例えば図１に示す浴室暖房装置１であり、浴室２の壁３の外部に設けられている。浴室暖房装置１は、ケーシング４内に、バーナ５を収容する燃焼室６と、燃焼室６から燃焼排気を排出する燃焼排気通路７とを備え、バーナ５には燃焼空気を供給する給気通路８が接続されている。燃焼排気通路７と給気通路８とは、先端開口部がケーシング４の外部に導出されると共に、燃焼排気通路４が内側となるように同芯状に形成されて、排気口７ａと給気口８ａとを形成している。
【００１３】
給気通路８には、燃料ガスを供給するガス供給管９がバーナ５の上流側に接続されており、給気通路８内で予め燃焼空気と混合された燃料ガスがバーナ５に供給されるようになっている。ガス管９には、開閉電磁弁１０と、ガス比例弁１１とが介装されている。
【００１４】
また、ケーシング４内には、浴室２内の空気が流通される空気通路１２が備えられている。空気通路１２は、途中で、燃焼室６と燃焼排気通路７との外側に配設される加熱室１３を備え、燃焼排気通路７と加熱室１３とにより熱交換器１４が形成されている。尚、燃焼排気通路７は、熱交換器１４内に蛇行して配設されている。空気通路１２の給気側端部と吐出側端部とは、壁３を貫通して浴室２内に開口しており、吐出側端部が内側となるように同芯状に形成されて、給気口１２ａと吐出口１２ｂとを形成している。
【００１５】
暖房装置１では、燃焼排気通路７には熱交換器１４の下流側に燃焼ファン１５が備えられており、燃焼排気通路７と燃焼ファン１５とにより燃焼排気排出手段１６が形成されている。また、暖房装置１では、空気通路１２には熱交換器１４の上流側に給気ファン１７が備えられており、空気通路１２、空気加熱室１３、給気ファン１７により温風吐出手段１８が形成されている。
【００１６】
前記構成を備える浴室暖房装置１によれば、まず、燃焼ファン１５が回転駆動されることにより、燃焼室６、燃焼排気通路７内の気体が吸引され、これに伴って給気通路８を介して外気が燃焼空気としてバーナ５に供給される。前記燃焼空気は、開閉電磁弁１０、ガス比例弁１１を介してガス供給管９から供給される燃料ガスと、給気通路８内で予め混合されてバーナ５に供給される。
【００１７】
次に、バーナ５は、図示しない点火プラグを作動させて前記燃料ガスに点火することにより、燃焼運転を開始する。そして、前記燃料ガスの燃焼により生成した燃焼排気が、燃焼ファン１５により吸引され、燃焼排気通路７から排気口７ａを介して排出される。
【００１８】
次に、給気ファン１７が回転駆動されることにより、浴室２内の空気が吸引され、給気口１２ａから空気通路１２に供給される。空気通路１２は、その途中に、燃焼室６、燃焼排気通路７の外側に配設された空気加熱室１３を備えているので、空気通路１２に供給された空気は、空気加熱室１３で燃焼排気通路７に流通される燃焼排気と熱交換して加熱される。そして、加熱された空気が温風となって、空気通路１２を介して吐出口１２ｂから浴室２内に吐出され、浴室２の暖房が行われる。
【００１９】
暖房装置１では、燃焼ファン１５は燃焼排気通路７の熱交換器１４の下流側に備えられて、燃焼室６、燃焼排気通路７の燃焼排気を吸引するために燃焼排気通路７内が負圧になっている。また、給気ファン１７は空気通路１２の熱交換器１４の上流側に備えられて、浴室２内の空気を加熱室１３に導入するために、加熱室１３内は正圧になっている。
【００２０】
従って、熱交換器１４内では、空気通路１２（加熱室１３）内の気圧の方が、燃焼排気通路７内の気圧よりも高くなっており、燃焼排気通路７に亀裂、穿孔等が発生したとしても、燃焼排気が空気通路１２（加熱室１３）内に侵入することがなく、浴室２に燃焼排気が吐出されることを防止することができる。
【００２１】
尚、本実施形態では、空気通路１２の途中に加熱室１３を設け、加熱室１３内に燃焼排気通路７を配設することにより熱交換器１４を形成しているが、熱交換器１４は燃焼排気通路７の途中に加熱室１３を設け、加熱室１３内に空気通路１２を配設するものであってもよい。この場合には、空気通路１２に亀裂、穿孔等が発生したとしても、燃焼排気が空気通路１２（加熱室１３）内に侵入することがなく、浴室２に燃焼排気が吐出されることを防止することができる。
【００２２】
また、本実施形態では浴室暖房装置１を例に挙げて説明しているが、本発明の暖房装置は浴室以外の居室等、他の部屋を暖房するものであってもよい。
【図面の簡単な説明】
【００２３】
【図１】本発明の暖房装置の一構成例を示す説明的断面図。
【図２】従来の暖房装置の一構成例を示す説明的断面図。
【符号の説明】
【００２４】
１…暖房装置、  ２…暖房する室内、  ５…バーナ、  ６…燃焼室、  ７…燃焼排気通路、  １２…空気通路、  １４…熱交換器、  １５…吸引手段、  １６…燃焼排気排出手段、  １７…給気手段、  １８…温風吐出手段。
【図１】
2006292228.tif 000003
【図２】
2006292228.tif 000004